【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
内挿補間公式を受け取るステップと；
前記内挿補間公式が、入手不可能なデータ値を少なくとも１つ必要とするか否かを判定するステップと；
外挿補間演算を実行して、前記必要とする入手不可能なデータ値を生成するステップとを具えて；
前記内挿補間公式を利用してデータを圧縮することを特徴とするデータ圧縮方法。
【請求項２】
前記内挿補間公式がウェーブレットフィルタの構成要素であることを特徴とする請求項１に記載の方法。
【請求項３】
さらに、複数のデータ値を複数のスパンにセグメント分割するステップを具えていることを特徴とする請求項１に記載の方法。
【請求項４】
さらに、前記複数のスパン中の１つのスパン内のデータ値のみを利用することによって、前記内挿補間公式に関係する演算量を低減するステップを具えていることを特徴とする請求項３に記載の方法。
【請求項５】
さらに、前記ウェーブレットフィルタを多相フィルタに置き換えるステップを具えていることを特徴とする請求項２に記載の方法。
【請求項６】
さらに、前記データ値を量子化するステップを具えていることを特徴とする請求項１に記載の方法。
【請求項７】
さらに、前記データ値の数量を低減することによって、エントロピー符号化に関連する演算量を低減するステップを具えていることを特徴とする請求項６に記載の方法。
【請求項８】
前記データ値に関係する量子化演算中に、前記データ値の数量を低減することを特徴とする請求項７に記載の方法。
【請求項９】
パイルを用いて、前記データ値の数量を低減することを特徴とする請求項７に記載の方法。
【請求項１０】
さらに、複数の前記データ値を所定のデータ範囲に再構成することに関連する演算量を低減するステップを具えていることを特徴とする請求項１に記載の方法。
【請求項１１】
単一のクリップ演算のみを実行することによって、前記演算量を低減することを特徴とする請求項１０に記載の方法。
【請求項１２】
前記ウェーブレットフィルタが、次式：
【数１】
2005523615.tif 000001
の内挿補間公式を含むことを特徴とする請求項２に記載の方法。
【請求項１３】
前記ウェーブレットフィルタが、次式：
Ｙ2N+1＝(Ｘ2N+1＋1/2)−(Ｘ2N＋1/2)
の内挿補間公式を含むことを特徴とする請求項２に記載の方法。
【請求項１４】
前記ウェーブレットフィルタが、次式：
【数２】
2005523615.tif 000002
を含めた内挿補間公式を含むことを特徴とする請求項２に記載の方法。
【請求項１５】
前記ウェーブレットフィルタが、次式：
【数３】
2005523615.tif 000003
を含めた内挿補間公式を含むことを特徴とする請求項２に記載の方法。
【請求項１６】
前記ウェーブレットフィルタが、次式：
【数４】
2005523615.tif 000004
を含めた内挿補間公式を含むことを特徴とする請求項２に記載の方法。
【請求項１７】
前記ウェーブレットフィルタが、次式：
【数５】
2005523615.tif 000005
を含めた内挿補間公式を含むことを特徴とする請求項２に記載の方法。
【請求項１８】
前記ウェーブレットフィルタが、次式：
【数６】
2005523615.tif 000006
を含めた内挿補間公式を含むことを特徴とする請求項２に記載の方法。
【請求項１９】
前記ウェーブレットフィルタが、次式：
(Ｘ2N+1＋1/2)＝Ｙ2N+1＋(Ｘ2N＋1/2)
を含めた内挿補間公式を含むことを特徴とする請求項２に記載の方法。
【請求項２０】
内挿補間公式を受け取るためのコンピュータコードと；
前記内挿補間公式が、入手不可能なデータ値を少なくとも１つ必要とするか否かを判定するためのコンピュータコードと；
外挿補間演算を実行して、前記必要とする入手不可能なデータ値を生成するためのコンピュータコードとを具えて；
前記内挿補間公式を利用してデータを圧縮することを特徴とするデータ圧縮用コンピュータプログラム。
【請求項２１】
ウェーブレット方式を分析して、ウェーブレットフィルタが近似する局所的な導関数を決定する論理回路と；
ウェーブレットフィルタの特性及び利用可能なサンプル数にもとづいて、外挿補間に使用する多項式の次数を選定する論理回路と；
前記選定した多項式の次数を用いて、ウェーブレットフィルタ毎の外挿補間公式を導出する論理回路と；
前記外挿補間公式を、各場合において利用可能なサンプルと共に利用して、特定エッジのウェーブレットケースを導出する論理回路と
を具えていることを特徴とするデータ処理システム。
【請求項２２】
単一装置でデータを受け取るステップと；
前記単一装置を利用して前記データを符号化して、第１フォーマットの第１圧縮データを生成するステップと；
前記第１圧縮データを、前記単一装置を利用してコード変換して、第２フォーマットの第２圧縮データを生成するステップと
を具えていることを特徴とするデータ圧縮方法。
【請求項２３】
前記符号化をリアルタイムで行うことを特徴とする請求項２２に記載の方法。
【請求項２４】
前記コード変換をオフラインで行うことを特徴とする請求項２２に記載の方法。
【請求項２５】
前記第１圧縮データをコード変換して、前記単一装置に結合した通信ネットワークの容量に整合させるべく適応させた第２フォーマットの第２圧縮データを生成することを特徴とする請求項２２に記載の方法。
【請求項２６】
前記符号化を、第１エンコーダを利用して実行することを特徴とする請求項２２に記載の方法。
【請求項２７】
前記コード変換を、デコーダ及び第２エンコーダを利用して実行することを特徴とする請求項２６に記載の方法。
【請求項２８】
前記第１フォーマットがウェーブレット・フォーマットを含むことを特徴とする請求項２２に記載の方法。
【請求項２９】
前記第２フォーマットが、ＤＣＴベースのフォーマットを含むことを特徴とする請求項２２に記載の方法。
【請求項３０】
前記第２フォーマットが、ＭＰＥＧフォーマットを含むことを特徴とする請求項２９に記載の方法。
【請求項３１】
単一デバイス上に実現され、データを符号化して第１フォーマットの第１圧縮データを生成するエンコーダと；
前記エンコーダと同じ単一デバイス上に実現され、前記第１圧縮データをコード変換して第２フォーマットの第２圧縮データを生成するトランスコーダと
を具えていることを特徴とするデータ圧縮用単一デバイス。
【請求項３２】
前記符号化をリアルタイムで行うことを特徴とする請求項３１に記載の単一デバイス。
【請求項３３】
前記コード変換をオフラインで行うことを特徴とする請求項３１に記載の単一デバイス。
【請求項３４】
前記第１圧縮データをコード変換して、前記単一装置に結合した通信ネットワークの容量に整合させるべく適応させた第２フォーマットの第２圧縮データを生成することを特徴とする請求項３１に記載の単一デバイス。
【請求項３５】
前記符号化を、第１エンコーダを利用して実行することを特徴とする請求項３１に記載の単一デバイス。
【請求項３６】
前記コード変換を、デコーダ及び第２エンコーダを利用して実行することを特徴とする請求項３５に記載の単一デバイス。
【請求項３７】
前記第１フォーマットがウェーブレット・フォーマットを含むことを特徴とする請求項３１に記載の単一デバイス。
【請求項３８】
前記第２フォーマットが、ＤＣＴベースのフォーマットを含むことを特徴とする請求項３１に記載の単一デバイス。
【請求項３９】
前記第２フォーマットが、ＭＰＥＧフォーマットを含むことを特徴とする請求項３８に記載の単一デバイス。
【請求項４０】
単一集積回路上の複数のエンコーダを利用してデータを圧縮する方法であって、この方法が、
前記単一集積回路でデータを受け取るステップと；
前記単一集積回路に内蔵された前記複数のエンコーダを利用して、前記データを符号化するステップとを具えて、
前記データが前記エンコーダを利用して圧縮されることを特徴とするデータ圧縮方法。
【請求項４１】
前記単一集積回路上の複数のチャンネルを利用して、前記データを符号化することを特徴とする請求項４０に記載の方法。
【請求項４２】
前記データを、ウェーブレットベースのフォーマットに変換することを特徴とする請求項４０に記載の方法。
【請求項４３】
単一集積回路上に実現され、第１組のデータを符号化する第１エンコーダと；
前記第１エンコーダと同じ単一集積回路上に実現され、第２組のデータを符号化する第２エンコーダとを具えて、
前記データが前記エンコーダを利用して圧縮されることを特徴とする単一集積回路。
【請求項４４】
前記単一集積回路上の複数のチャンネルを利用して、前記データを符号化することを特徴とする請求項４３に記載の単一集積回路。
【請求項４５】
前記データを、ウェーブレットベースのフォーマットに符号化することを特徴とする請求項４３に記載の単一集積回路。
【請求項４６】
単一モジュールを利用して光子を受け取るステップと；
前記単一モジュールを利用して、前記光子を表現する圧縮データを出力するステップと
を具えて、
前記データが少なくとも１つのエンコーダを利用して圧縮されることを特徴とするデータ圧縮方法。
【請求項４７】
前記圧縮データを、ウェーブレットベースのフォーマットに符号化することを特徴とする請求項４６に記載の方法。
【請求項４８】
前記符号化に関連する変換操作を、アナログで実行することを特徴とする請求項４７に記載の方法。
【請求項４９】
前記単一モジュールが撮像素子を含むことを特徴とする請求項４６に記載の方法。
【請求項５０】
前記圧縮が、
内挿補間公式を受け取るステップと；
前記内挿補間公式が、入手不可能なデータ値を少なくとも１つ必要とするか否かを判定するステップと；
外挿補間演算を実行して、前記必要とする入手不可能なデータ値を生成するステップとを具えて；
前記内挿補間公式を利用して前記データを圧縮することを特徴とする請求項４２に記載の方法。
【請求項５１】
前記データが画像を表現することを特徴とする請求項４０に記載の方法。
【請求項５２】
前記データがビデオを表現することを特徴とする請求項４０に記載の方法。
【請求項５３】
前記データがビデオを含むことを特徴とする請求項４０に記載の方法。
【請求項５４】
前記データがビデオデータを含み、該ビデオデータが、前記単一集積回路上の複数のビデオエンコーダを利用して符号化されることを特徴とする請求項４０に記載の方法。
【請求項５５】
前記データが画像を表現することを特徴とする請求項４３に記載の単一集積回路。
【請求項５６】
前記データがビデオを表現することを特徴とする請求項４３に記載の単一集積回路。
【請求項５７】
前記データがビデオを含むことを特徴とする請求項４３に記載の単一集積回路。
【請求項５８】
前記データが画像を表現することを特徴とする請求項４６に記載の方法。
【請求項５９】
前記データがビデオを表現することを特徴とする請求項４６に記載の方法。
【請求項６０】
前記データがビデオを含むことを特徴とする請求項４６に記載の方法。